(57)【要約】【課題】表示されている交点情報が、実際に測定して得られた信号波形データに基づく情報なのか、補間された情報なのかが判別し得る波形表示装置を提供する。【解決手段】信号波形データに基づいて信号波形Ａ，ＢをトレースカーソルＣと共に表示画面４ａに表示させ、かつ信号波形Ａ，ＢとトレースカーソルＣとの交点における信号波形Ａ，Ｂの交点情報を表示画面４ａに表示させる波形表示装置であって、交点が信号波形Ａ，Ｂにおける信号波形データに基づいて表示される部位に位置するときの表示形態と、交点が信号波形データ間を補間して表示された部位に位置するときの表示形態とが互いに異なるように交点情報を表示させる。【選択図】図２
2006162433.tif 000002
【特許請求の範囲】
【請求項１】
複数の信号を互いに異なる周期でサンプリングして得られた信号波形データに基づいて前記複数の信号についての各信号波形をトレースカーソルと共に表示部にそれぞれ表示させ、かつ前記各信号波形と前記トレースカーソルとの各交点における当該各信号波形の各交点情報を前記表示部にそれぞれ表示させる波形表示装置であって、
前記各交点が前記各信号波形における前記信号波形データに基づいて表示される部位に位置するときの表示形態と、前記各交点が前記信号波形データ間を補間して表示された部位に位置するときの表示形態とが互いに異なるように前記各交点情報を表示させる波形表示装置。
【請求項２】
前記複数の信号波形のうちの選択された信号波形における前記信号波形データに基づく部位にのみ位置するように前記トレースカーソルを移動表示させる請求項１記載の波形表示装置。
【発明の詳細な説明】
【技術分野】
【０００１】
本発明は、信号波形とトレースカーソルとを表示部に表示させる波形表示装置に関するものである。
【背景技術】
【０００２】
この種の波形表示装置として、本願出願人は、特開２００３−３１５３６９号公報に波形表示装置を開示している。この波形表示装置は、信号波形とトレースカーソルとを表示部に表示させると共に、信号波形とトレースカーソルとの交点におけるこの信号波形についての交点情報（具体的には電圧など）を取得して表示部に表示可能に構成されている。
【特許文献１】特開２００３−３１５３６９号公報（第４頁）
【発明の開示】
【発明が解決しようとする課題】
【０００３】
ところが、本願発明者らは、上記公報に開示された波形表示装置をさらに検討した結果、この波形表示装置には、以下の課題が存在することを見出した。すなわち、上記公報には明記されてはいないが、この種の波形表示装置では、交点情報は常に同じ表示形態で表示されるのが通常である。ここで、表示形態とは、交点情報を表示する数値および文字についての、フォントの種類、フォントのサイズ、フォント飾りの有無および種類、並びにフォントの明るさなどをいうものとする。このため、表示部に表示されている信号波形が、実際の測定によって得られた信号波形データに基づき、この信号波形データを補間して表示されている場合において、トレースカーソルが信号波形のいずれの位置と交差したときであっても、交点情報は常に同じ表示形態で表示されることになる。この場合、表示されている交点情報が、実際の測定によって得られた信号波形データに基づく情報なのか、補間された情報なのかが表示部の表示内容に基づいて判別できると便利であるが、この表示装置ではこのような判別ができないため、この点を改善するのが好ましい。
【０００４】
本発明は、かかる課題を解決すべくなされたものであり、表示されている交点情報が、実際に測定（サンプリング）して得られた信号波形データに基づく情報なのか、補間された情報なのかが表示部の表示内容に基づいて判別し得る波形表示装置を提供することを主目的とする。
【課題を解決するための手段】
【０００５】
上記目的を達成すべく請求項１記載の波形表示装置は、複数の信号を互いに異なる周期でサンプリングして得られた信号波形データに基づいて前記複数の信号についての各信号波形をトレースカーソルと共に表示部にそれぞれ表示させ、かつ前記各信号波形と前記トレースカーソルとの各交点における当該各信号波形の各交点情報を前記表示部にそれぞれ表示させる波形表示装置であって、前記各交点が前記各信号波形における前記信号波形データに基づいて表示される部位に位置するときの表示形態と、前記各交点が前記信号波形データ間を補間して表示された部位に位置するときの表示形態とが互いに異なるように前記各交点情報を表示させる。
【０００６】
また、請求項２記載の波形表示装置は、請求項１記載の波形表示装置において、前記複数の信号波形のうちの選択された信号波形における前記信号波形データに基づく部位にのみ位置するように前記トレースカーソルを移動表示させる。
【発明の効果】
【０００７】
請求項１記載の波形表示装置によれば、各交点が各信号波形における信号波形データに基づいて表示される部位に位置するときの表示形態と、各交点が信号波形データ間を補間して表示された部位に位置するときの表示形態とが互いに異なるように各交点情報を表示させることにより、その表示形態を見るだけで、トレースカーソルとの交点における各信号波形の波形データが、実際にサンプリングされた波形データなのか、あるいは補間された情報なのかを正確かつ容易に判別することができる。
【０００８】
また、請求項２記載の波形表示装置によれば、複数の信号波形のうちの選択された信号波形における信号波形データに基づく部位にのみ位置するようにトレースカーソルを移動表示させることにより、トレースカーソルを移動表示させることにより、選択された信号についての実際にサンプリングされた波形データのみを表示させることができる。
【発明を実施するための最良の形態】
【０００９】
以下、本発明に係る波形表示装置の最良の形態について、添付図面を参照して説明する。
【００１０】
最初に、波形表示装置１の構成について、図面を参照して説明する。
【００１１】
波形表示装置１は、図１に示すように、２つのＡ／Ｄ変換部２，３、表示部４、操作部５、制御部６およびメモリ７を備えて構成されている。この場合、Ａ／Ｄ変換部２は、入力した信号Ｓ１をサンプリングクロックＣＬ１に同期してディジタルデータとしての波形データ（一例として信号Ｓ１の電圧を示すデータ）Ｄ１に変換して制御部６に出力する。Ａ／Ｄ変換部３は、入力した信号Ｓ２をサンプリングクロックＣＬ２に同期してディジタルデータとしての波形データ（一例として信号Ｓ２の電圧を示すデータ）Ｄ２に変換して制御部５に出力する。サンプリングクロックＣＬ１およびサンプリングクロックＣＬ２は、波形表示装置１の内部において、基準クロックをそれぞれ分周して生成されるため、互いに同期している。また、本例では、信号Ｓ１は信号Ｓ２と比較して高速で変化するため、サンプリングクロックＣＬ１はサンプリングクロックＣＬ２よりも高い周波数に設定されている。
【００１２】
表示部４は、一例として液晶表示器を備えて構成されて、図２，３に示すように、その表示画面４ａ上に、各信号波形Ａ，ＢおよびトレースカーソルＣを表示する。操作部５は、操作ダイヤル（図示せず）を備え、この操作ダイヤルが操作された際に、操作内容（操作ダイヤルの回転量および回転方向）を示す操作データＤ３を生成して制御部６に出力する。
【００１３】
制御部６は、ＣＰＵなどで構成されて、各Ａ／Ｄ変換部２，３から入力した各波形データＤ１，Ｄ２をメモリ７に記憶させる記憶処理を実行する。また、制御部６は、メモリ７に記憶されている各波形データＤ１，Ｄ２と、入力した操作データＤ３とに基づいて、各信号波形Ａ，ＢおよびトレースカーソルＣを表示部４に表示させる表示処理を実行する。
【００１４】
次に、波形表示装置１の動作について説明する。
【００１５】
まず、各Ａ／Ｄ変換部２，３が、入力している各信号Ｓ１，Ｓ２をサンプリングクロックＣＬ１，ＣＬ２に同期して波形データＤ１，Ｄ２にそれぞれ変換して出力する。制御部６は、記憶処理を実行することにより、入力した各波形データＤ１，Ｄ２をメモリ７に、入力順に所定時間分（例えば表示部４の表示画面４ａ上に表示可能な時間分）だけ記憶させる。
【００１６】
次いで、記憶処理を終了した後に、制御部６は表示処理を実行する。この表示処理では、制御部６は、まず、メモリ７から各波形データＤ１，Ｄ２を記憶されている順に読み出すと共に、各波形データＤ１，Ｄ２の記憶されている順番と各サンプリングクロックＣＬ１，ＣＬ２の１周期（サンプリング周期）とに基づいて各波形データＤ１，Ｄ２の測定時刻を算出する。次いで、制御部６は、各波形データＤ１，Ｄ２の値と、算出した測定時刻とに基づいて、横軸を時間軸、縦軸を電圧軸として各信号波形Ａ，Ｂを表示部４に表示させる。この信号波形Ａの表示部４への表示に際して、制御部６は、実際にサンプリングによって取得された波形データＤ１を補間表示処理（直線補間表示処理など）することにより、信号波形Ａを連続波形として表示させる。また、制御部６は、信号波形Ｂについても、信号波形Ａと同様にして連続波形として表示部４に表示させる。さらに、制御部６は、入力している操作データＤ３に基づいてトレースカーソルＣの表示部４での表示位置（横軸に対する位置）を算出し、算出した表示位置にトレースカーソルＣを更新表示させる。制御部６によるこのトレースカーソルＣの更新表示処理により、トレースカーソルＣが、操作部５の操作ダイヤルに対する操作に連動して、表示部４の表示画面４ａ上において横軸方向に移動表示される。
【００１７】
また、表示処理において、制御部６は、各信号波形Ａ，Ｂについて、トレースカーソルＣとの交点における各波形データ（実際にサンプリングされた各波形データＤ１，Ｄ２、または波形データＤ２のデータ間を補間して求めた電圧値等の情報（以下、区別しないときは波形データともいう）。本発明における交点情報）を常時求め、求めた各波形データを表示部４の表示画面上に更新表示させる。この際に、制御部６は、各信号波形Ａ，ＢとトレースカーソルＣとの交点が各信号波形Ａ，Ｂにおける実測部位（実際にサンプリングされた各波形データＤ１，Ｄ２に基づいて表示している部位）に位置するときの波形データの表示形態を、各信号波形ＢとトレースカーソルＣとの交点が信号波形データＤ２のデータ間を補間表示処理して表示された部位に位置するときの波形データの表示形態と互いに異なるように表示させる。本例では、一例として、図２，３に示すように、制御部６は、前者のときには、波形データを括弧なしの表示形態で表示部４に波形データ表示Ｄａを表示させ、後者のときには、波形データを括弧付きの表示形態で波形データ表示Ｄｂを表示させる。これにより、トレースカーソルＣとの交点における各信号波形Ａ，Ｂの波形データ（トレースカーソルＣによって特定される各信号波形Ａ，Ｂの波形データ）が、実測された（実際にサンプリングされた）波形データＤ１，Ｄ２なのか、補間された情報なのかが明確に区別可能な状態で表示部４に表示される。
【００１８】
具体的には、図２では、信号波形Ａについては、１０番目にサンプリングされた波形データＤ１に基づいて表示されている実測部位にトレースカーソルＣとの交点が位置しているため、制御部６は、この交点についての波形データＤ１を括弧なしで「−５ｍＶ」との波形データ表示Ｄａを表示部４に表示させる。また、信号波形Ｂについては、２番目と３番目にサンプリングされた各波形データＤ２を使用した補間表示処理で表示されている部位にトレースカーソルＣとの交点が位置しているため、制御部６は、この交点についての補間された情報を括弧付きで「（−８ｍＶ）」との波形データ表示Ｄｂを表示部４に表示させる。一方、図３では、各信号波形Ａ，Ｂ共に、トレースカーソルＣとの交点が、サンプリングされた各波形データＤ１，Ｄ２に基づいて表示されている実測部位に位置している。このため、制御部６は、各信号波形Ａ，Ｂについて、トレースカーソルＣとの交点における波形データＤ１，Ｄ２を括弧なしで、「−２ｍＶ」、「−７ｍＶ」との波形データ表示Ｄａを表示部４にそれぞれ表示させる。
【００１９】
また、この波形表示装置１では、信号波形Ａについては高速のサンプリングクロックＣＬ１によって波形データＤ１が生成され、信号波形Ｂについては比較的低速のサンプリングクロックＣＬ２によって波形データＤ２が生成されている。したがって、信号波形Ａについては、実際にサンプリングされた波形データＤ１に主として基づいて精度よく表示される。したがって、操作部５の操作ダイヤルが操作されてトレースカーソルＣが移動された際に、制御部６は、信号波形Ａについては実測部位にのみ位置するようにトレースカーソルＣを表示させて、かつ波形データ表示Ｄａを表示させる。この結果、この波形表示装置１では、信号波形Ａについては、実際にサンプリングされた波形データのみが表示される。
【００２０】
このように、この波形表示装置１によれば、制御部６が、各信号波形Ａ，ＢとトレースカーソルＣとの交点が各信号波形Ａ，Ｂにおける実測部位に位置するときの波形データの表示形態を、各信号波形ＢとトレースカーソルＣとの交点が信号波形データＤ２のデータ間を補間表示処理して表示された部位に位置するときの波形データの表示形態とは互いに異なるように表示部４の表示画面上に表示させることにより、その表示形態を見るだけで、トレースカーソルＣとの交点における各信号波形Ａ，Ｂの波形データが、実際にサンプリングされた波形データＤ１，Ｄ２なのか、あるいは補間された情報なのかを正確かつ容易に判別することができる。
【００２１】
なお、本発明は、上記の構成に限定されない。信号波形Ａについては、制御部６がトレースカーソルＣを実測部位にのみ位置するように表示部４に移動表示させる構成を採用した例について上記したが、これに限定されない。例えば、操作部５に選択スイッチ（図示せず）を設けると共に、この選択スイッチのスイッチ状態を示す選択データを制御部６に入力するなどして、表示部４に表示されている各信号波形Ａ，Ｂのいずれか一方を選択させ、かつ選択された信号波形（例えば信号波形Ａ）における実測部位（例えば信号波形Ａが選択されたときには波形データＤ１に基づいて表示されている部位）にのみ位置するように、制御部６がトレースカーソルＣを表示部４に移動表示させる構成を採用することもできる。この構成では、トレースカーソルＣが、サンプリングされた波形データＤ１に基づいて表示されている各実測部位を順に移動させられる。また、この構成においても、例えば、図２に示すように、信号Ｓ１を選択して、１０番目にサンプリングされた波形データＤ１に基づいて表示されている実測部位にトレースカーソルＣとの交点が位置しているときには、制御部６は、この交点についての波形データＤ１を括弧なしで「−５ｍＶ」と表示させ、信号波形Ｂについては、上記と同様にして、括弧付きで「（−８ｍＶ）」と表示させる。この構成によれば、上記の構成と同様にして、操作部５の操作ダイヤルを操作してトレースカーソルＣを移動表示させることにより、選択された信号Ｓ１（またはＳ２）についての実際にサンプリングされた波形データＤ１（またはＤ２）のみを抽出して表示部４に表示させることができる。
【００２２】
また、上記の構成では、２つのＡ／Ｄ変換部２，３を備え、２つの信号波形Ｓ１，Ｓ２をそれぞれ異なるサンプリング周期でサンプリングして表示部４に同時に表示させているが、Ａ／Ｄ変換部の数は任意であり、３つ以上のＡ／Ｄ変換部を備えて、３つ以上の信号波形を表示部４に同時に表示させる構成を採用することもできる。また、信号波形ＢとトレースカーソルＣとの交点が補完されて表示された部位に位置するときには、信号波形Ｂにおける交点での補間された情報を表示部４に括弧付きで表示させる構成について説明したが、交点での補間された情報を表示させるのに代えて、信号波形Ｂにおける交点に最も近い波形データＤ２を表示させる構成を採用することもできるし、交点の直前および（または）直後の波形データＤ２のいずれかを表示させるようにすることもできる。また、波形データに対して括弧の有無によって表示形態を異ならせる例を挙げて説明したが、波形データを表示する数字や文字のフォントの種類を変えたり、フォントのサイズ（大きさ）を変えたり、フォント飾り（斜体、太字、アンダーライン、アッパーラインなど）の有無を変えたり、フォント飾りの種類を変えたり、フォントの明るさを変えたりするなど、種々の態様によって表示形態を異ならせることもできる。
【図面の簡単な説明】
【００２３】
【図１】波形表示装置１の構成を示すブロック図である。
【図２】表示部４の表示画面上に表示された各信号波形Ａ，ＢおよびトレースカーソルＣを示す表示画面図である（トレースカーソルＣが波形データＤ１上に位置する場合）。
【図３】表示部４の表示画面上に表示された各信号波形Ａ，ＢおよびトレースカーソルＣを示す表示画面図である（トレースカーソルＣが波形データＤ１，Ｄ２上に位置する場合）。
【符号の説明】
【００２４】
１  波形表示装置
Ａ，Ｂ  信号波形
Ｃ  トレースカーソル
Ｄ１，Ｄ２  波形データ
Ｓ１，Ｓ２  信号
【図１】
2006162433.tif 000003
【図２】
2006162433.tif 000004
【図３】
2006162433.tif 000005